(57)【要約】      （修正有）【課題】一方のシヤーピンが破断したときであっても、そのことを迅速に発見することができる除雪機を提供する。【解決手段】除雪機１０は、左のオーガ４３と右のオーガ４４、左のオーガ軸３９と右のオーガ軸４１、ギヤケース３４を囲うオーガハウジング５０に、作業者が左のオーガ４３と右のオーガ４４の回転を目視で確認することができる左の覗き窓７１と右の覗き窓７２が設けられている。【選択図】図３
0003132846.tif 000002
【実用新案登録請求の範囲】
【請求項１】
機体の前方に、左右のオーガを配置し、これらのオーガを支える左右のオーガ軸の中央にギヤケースを配置し、このギヤケースに左右のシヤーピンを介して前記左右のオーガ軸を連結し、左右のオーガに過大な負荷が作用したときに左右のシヤーピンの少なくとも一方が破断することで、前記ギヤケース及び機体に搭載されている駆動源を保護するようにし、作業者が機体の後方又は後部で操縦する形式の除雪機において、
前記左右のオーガ及び左右のオーガ軸及びギヤケースを囲うオーガハウジングに、前記作業者が左右のオーガの回転を目視で確認することができる左右の覗き窓が各々設けられていることを特徴とする除雪機。
【請求項２】
前記オーガハウジングの内面に沿って流れる雪が、前記覗き窓に接触することを防止するために、前記覗き窓の内側の縁に雪を反らせる反らせ部材を付設したことを特徴とする請求項１記載の除雪機。
【考案の詳細な説明】
【技術分野】
【０００１】
本考案は、機体の前方に左右のオーガを配置した除雪機に関するものである。
【背景技術】
【０００２】
オーガ式除雪機は、機体の前方に設けた左右のオーガで雪を中央に集め、集めた雪をブロワに送り、ブロワで加速させて雪をシュータから排出する。
【０００３】
除雪作業中に雪に隠れている障害物などが左右のオーガに接触すると、左右のオーガに過大な負荷が加わることがある。左右のオーガに過大な力が加わると、左右のオーガの中間に配置されているギヤケースやその他の駆動系機器に過大な力が加わり、駆動系の機器が傷む虞がある。対策として、左右のオーガとギヤケースとの間に、シヤーピンを配置することが知られている。
【０００４】
従来シヤーピンを適用した除雪機が提案されている（例えば、特許文献１参照。）。
【特許文献１】特開２００１−１９３０３２公報（図１、図８）
【０００５】
特許文献１を次図に基づいて説明する。
図７は従来の技術の基本構成を説明する図であり、（ａ）は除雪機の正面図である。
除雪機１００は、図示せぬ駆動軸と連結したウオームギヤが収納されるギヤケース１０１と、このギヤケース１０１から左右に突出させるとともに両端が横長状のカバー１０２で支持されるオーガ軸１０３と、このオーガ軸１０３の左部に取り付ける左のオーガ１０４と、オーガ軸１０３の右部に取り付ける右のオーガ１０５とからなる。
【０００６】
（ｂ）はギヤケース周りの断面図であり、ギヤケース１０１から突出させたオーガ軸１０３にフランジ１０６を備えた駆動スリーブ１０７を固定し、オーガ軸１０３にフランジ１０８を備えた右のオーガ取付軸１０９を嵌め、２枚のフランジ１０６、１０８に右のシヤーピン１１１を打ち込むことでオーガ軸１０３と右のオーガ取付軸１０９を連結させる。この構造により、右のオーガ１０５に過大な負荷が作用したとき、右のシヤーピン１１１が破断することでウオームギヤ１１２の破損を防ぐことができる。なお、左のシヤーピンの破断の原理も同様である。
【０００７】
特許文献１の除雪機１００は、左のオーガ１０４及び右のオーガ１０５がカバー１０２で囲われており、除雪機の後方で操縦に従事している作業者からは、カバー１０２しか見えない。左のシヤーピンと右のシヤーピンが共に破断した場合、作業者はシュータから出る雪が無くなった、若しくは激減したことで、左のシヤーピンと右のシヤーピンの破断に気付く。
ところで、左右のシヤーピンの一方が破断したときは、シュータから雪が出続けるため、異常に気付くのが遅れる。異常の発見が遅れると、除雪作業の遅れを招く。
【０００８】
一方のシヤーピンが破断したときであっても、そのことを迅速に発見することができる技術が求められる。
【考案の開示】
【考案が解決しようとする課題】
【０００９】
本考案は、一方のシヤーピンが破断したときであっても、そのことを迅速に発見することができる除雪機を提供することを課題とする。
【課題を解決するための手段】
【００１０】
請求項１に係る考案は、機体の前方に、左右のオーガを配置し、これらのオーガを支える左右のオーガ軸の中央にギヤケースを配置し、このギヤケースに左右のシヤーピンを介して前記左右のオーガ軸を連結し、左右のオーガに過大な負荷が作用したときに左右のシヤーピンの少なくとも一方が破断することで、前記ギヤケース及び機体に搭載されている駆動源を保護するようにし、作業者が機体の後方又は後部で操縦する形式の除雪機において、前記左右のオーガ及び左右のオーガ軸及びギヤケースを囲うオーガハウジングに、前記作業者が左右のオーガの回転を目視で確認することができる左右の覗き窓が各々設けられていることを特徴とする。
【００１１】
請求項２に係る考案は、オーガハウジングの内面に沿って流れる雪が、覗き窓に接触することを防止するために、前記覗き窓の内側の縁に雪を反らせる反らせ部材を付設したことを特徴とする。
【考案の効果】
【００１２】
請求項１に係る考案では、オーガハウジングに左右の覗き窓を設けたので、作業者は、除雪作業中、左又は右のオーガの回転を目視で確認することができ、左又は右のオーガが停止したことを迅速に認識することができる。
【００１３】
請求項１によれば、一方のシヤーピンが破断したときであっても、そのことを迅速に発見することができる除雪機を提供することができる。
【００１４】
請求項２に係る考案では、覗き窓の内側の縁に、オーガハウジングの内面に沿って流れる雪を反らせる反らせ部材を付設したので、覗き窓が雪で曇る心配はない。
【考案を実施するための最良の形態】
【００１５】
本考案を実施するための最良の形態を添付図に基づいて以下に説明する。なお、図面は符号の向きに見るものとする。また、以下に説明する「前」、「後」、「左」、「右」は除雪機を操縦する作業者から見た方向を示す。
【００１６】
図１は本考案に係る除雪機の側面図であり、除雪機１０は、機体１１の下部に設ける走行部１３と、この走行部１３より上方に位置するように機体１１の内部に搭載される駆動源としてのエンジン１４と、このエンジン１４を覆うように機体１１の上部に設けるカバー１５と、このカバー１５の上面に取り付ける前照灯１６と、この前照灯１６より後方に位置するように機体１１の上部に設ける操作盤１７と、この操作盤１７より後方に位置するように機体１１の後部に設ける操作ハンドル１８と、機体１１の前方に設けたブロワ１９を収納するブロワ部２１と、このブロワ部２１の上部に設けるシュータ部２２と、ブロワ部２１及び機体１１に収納されるオーガ動力伝達機構２３（詳細後述）と、このオーガ動力伝達機構２３に連結される左右のオーガ軸３８（詳細後述）と、これらのオーガ軸３８で支えられる左右のオーガ４２（詳細後述）と、これらのオーガ４２を囲うオーガハウジング５０（詳細後述）と、このオーガハウジング５０の外面に設ける左右の覗き窓７０（詳細後述）とで構成され、作業者が例えば機体１１の後方で操縦する形式の除雪機である。
【００１７】
なお、作業者の操縦位置は、機体１１の後方として説明したが、機体１１の後部に台を設け、この台に作業者が乗った状態で操縦する形式に変更しても差し支えない。
【００１８】
図２は本考案に用いる左右のオーガの駆動系統図であり、オーガ動力伝達機構２３は、エンジン１４の出力軸２４に連結されるとともに駆動プーリ２５、ベルト２６、従動プーリ２７で構成するベルト伝動部２８と、このベルト伝動部２８に連結されるとともにブロワ１９を備える中間軸２９と、この中間軸２９に連結されるウオーム３１と、このウオーム３１に噛み合っているウオームホイール３２と、これらのウオーム３１及びウオームホイール３２を収納しているギヤケース３４と、このギヤケース３４から左及び右に突出させるギヤ出力軸３５と、このギヤ出力軸３５の左端に連結させる左軸継手３６（詳細後述）と、ギヤ出力軸３５の右端に連結させる右軸継手３７（詳細後述）とからなる。
【００１９】
左右のオーガ軸（図１符号３８）は、左軸継手３６に連結させる左のオーガ軸３９と、右軸継手３７に連結させる右のオーガ軸４１とからなり、左右のオーガ（図１符号４２）は、左のオーガ軸３９で支えられる左のオーガ４３と、右のオーガ軸４１で支えられる右のオーガ４４とからなる。
【００２０】
エンジン１４を起動すると、エンジン１４の動力は、ベルト伝動部２８、中間軸２９、ウオーム３１、ウオームホイール３２、ギヤ出力軸３５、左軸継手３６及び右軸継手３７、左のオーガ軸３９及び右のオーガ軸４１の順に伝達されるので、左のオーガ４３及び右のオーガ４４を回転させることができる。
【００２１】
図３は図１の３−３線断面図であり、オーガハウジング５０は、ブロワ部２１と接続されるとともに横長の長方形状に形成され、支持部材５１を介してギヤケース３４を支持している。
【００２２】
また、オーガハウジング５０の左部で支持された左軸受５２は、ギヤケース３４から左へ突出したギヤ出力軸３５に左軸継手３６を介して連結している左のオーガ軸３９を回転可能に支持し、オーガハウジング５０の右部で支持された右軸受５３は、ギヤケース３４から右へ突出したギヤ出力軸３５に右軸継手３７を介して連結している右のオーガ軸４１を回転可能に支持する。
【００２３】
左軸継手３６は、ギヤ出力軸３５に取り付けた左ギヤフランジ５４と、この左ギヤフランジ５４に対向するように左のオーガ軸３９に取り付ける左オーガフランジ５５と、例えば左ギヤフランジ５４と左オーガフランジ５５を接続するボルト部を備えるとともに過大な負荷が掛かったときに優先的に破断する小径部を有する２本の左のシヤーピン５６、５６と、これらのシヤーピン５６、５６にねじ込む２個のナット５７、５７とで構成する。
【００２４】
右軸継手３７は、ギヤ出力軸３５に取り付けた右ギヤフランジ５８と、この右ギヤフランジ５８に対向するように右のオーガ軸４１に取り付ける右オーガフランジ５９と、例えば右ギヤフランジ５８と右オーガフランジ５９を接続するボルト部を備えるとともに過大な負荷が掛かったときに優先的に破断する小径部を有する２本の右のシヤーピン６１、６１と、これらのシヤーピン６１、６１にねじ込む２個のナット６２、６２とで構成する。
【００２５】
なお、左軸継手３６並びに右軸継手３７は、フランジ接続型として説明したが、ギヤ出力軸３５の左端及び左のオーガ軸３９の右端に各々棒部材を取り付け、棒部材同士を左のシヤーピン５６、５６で接続させることができるとともに、ギヤ出力軸３５の右端及び右のオーガ軸４１の左端に各々棒部材を取り付け、棒部材同士を右のシヤーピン６１、６１で接続させることができるので、他の接続形式に変更することは差し支えない。
【００２６】
加えて、オーガハウジング５０の外面には、左右の覗き窓７０が取り付けられ、この左右の覗き窓７０は、オーガハウジング５０の外面の左側に取り付ける左の覗き窓７１と、オーガハウジング５０の外面の右側に取り付ける右の覗き窓７２とで構成する。
【００２７】
これらの左の覗き窓７１及び右の覗き窓７２は、作業者が機体の後方から見たときに二点鎖線で示した機体１１及びシュータ部２２に遮られることがないように、オーガハウジング５０に取り付けたので、作業者が左の覗き窓７１及び右の覗き窓７２を覗くときに視界が妨げられることがない。左の覗き窓７１及び右の覗き窓７２の詳細構造は次図で説明する。
【００２８】
したがって、除雪機１０は、左のオーガ４３と右のオーガ４４、左のオーガ軸３９と右のオーガ軸４１、ギヤケース３４を囲うオーガハウジング５０に、作業者が左のオーガ４３と右のオーガ４４の回転を目視で確認することができる左の覗き窓７１と右の覗き窓７２が設けられていることを特徴とする。
【００２９】
図４は図３の４−４線断面図であり、左の覗き窓７１は、オーガハウジング５０に設けた開口部７３に重なるようにオーガハウジング５０の外面７４に載せる例えば樹脂製の透明板材７５と、この透明板材７５の上に載せる例えばゴム製のシール材７６と、このシール材７６を介して透明板材７５を押さえる押さえフランジ７７と、この押さえフランジ７７に開けた複数個の穴７８に挿入させるとともにオーガハウジング５０の外面７４に取り付ける複数本のボルト７９と、これらのボルト７９にねじ込んで押さえフランジ７７をオーガハウジング５０に取り付ける複数個のナット８１とで構成する。
【００３０】
なお、透明板材７５の材質は、樹脂製としたが、ガラス製であっても差し支えない。
また、シール材７６の材質は、ゴム製としたが、軟質樹脂製であっても差し支えない。
そして、上記では左の覗き窓７１の構造のみを説明したが、右の覗き窓（図３符号７２）の構造は左の覗き窓７１と同様であるため、右の覗き窓の説明は省略する。
【００３１】
加えて、除雪機１０では、左の覗き窓７１の内側の縁に相当する、開口部７３の下側の縁８２に、雪を反らせる例えばくの字断面形状の左の反らせ部材８３を取り付けたことを特徴とする。
【００３２】
なお、左の反らせ部材８３は、オーガハウジング５０に取り付けて構成したが、オーガハウジング５０の肉厚部を内側に折り曲げて構成してもよい。
【００３３】
また、上記では左の反らせ部材８３のみを説明したが、右の覗き窓（図３符号７２）の内側の縁にも、右の反らせ部材が取り付けられ、この右の反らせ部材の構造は、左の反らせ部材８３と同様であるため、右の反らせ部材の説明は省略する。
【００３４】
８４は掻き板、８５はそり部である。
以上の構成からなる除雪機１０の作用を次に説明する。
【００３５】
図５は本考案に係る除雪機の作用説明図であり、（ａ）にて、作業者８６は、除雪機１０を操縦しながら矢印（１）、（２）のように左の覗き窓７１と右の覗き窓７２を覗いている。前照灯１６、１６は、カバー１５の左側及び右側に設けられる。
【００３６】
（ｂ）は図３の５ｂ部拡大図に相当し、右のオーガ（図３符号４４）に過大な負荷が作用したときに２本の右のシヤーピン６１、６１が破断することで、ギヤ出力軸３５及び右ギヤフランジ５８は矢印（３）のように回転を継続し、右オーガフランジ５９及び右のオーガ軸４１は回転を停止する。このとき、２本の左のシヤーピン５６、５６は左軸継手３６を接続しているので、左のオーガ軸３９は矢印（４）のように回転する。
【００３７】
（ｃ）は（ａ）のｃ部拡大図であり、除雪機１０が（ｂ）の状態にあるとき、作業者８６が左の覗き窓７１と右の覗き窓７２を覗いたとき、左のオーガ４３は矢印（５）のように回転し、右のオーガ４４は停止していることを目視で確認することができる。
【００３８】
なお、過大な負荷が作用するオーガは、上記では右のオーガ４４を適用して説明したが、左のオーガ４３に過大な負荷が作用したときには、作業者８６は左の覗き窓７１と右の覗き窓７２を覗いたとき、左のオーガ４３が停止し、右のオーガ４４が回転していることを目視で確認することができる。
【００３９】
除雪機１０は、オーガハウジング５０に左の覗き窓７１と右の覗き窓７２を設けたので、作業者８６は、左のオーガ４３又は右のオーガ４４の回転を目視で確認することができ、左のオーガ４３又は右のオーガ４４が停止したことを迅速に認識することができる。よって、左のシヤーピン５６、５６と右のシヤーピン６１、６１のどちらか一方のシヤーピンが破断したときであっても、そのことを迅速に発見することができる除雪機を提供することができる。
【００４０】
図６は本考案の覗き窓の比較例と実施例の対比図であり、（ａ）は比較例であり、除雪時に左のオーガ１１３を矢印（６）のように回転させたとき、左の覗き窓１１４の透明板材１１５には、オーガハウジング１１６の内面１１７に沿って流れる雪が矢印（７）、（８）のように接触して透明板材１１５が曇る。この結果、作業者が左の覗き窓１１４を覗いたときの視界は悪化する。
【００４１】
（ｂ）は図４の６ｂ部拡大図に相当し、開口部７３の下側の縁８２に、オーガハウジング５０の内面８７に沿って流れる雪を反らせる左の反らせ部材８３を付設したので、除雪時に左のオーガ４３を矢印（９）のように回転させたとき、雪は矢印（１０）、（１１）のように流れる。
【００４２】
そのため、雪が透明板材７５に接触することがないので、透明板材７５が曇る心配はない。これにより、作業者が左の覗き窓７１を覗いたときの視界を良好に保つことができる。
【００４３】
なお、反らせ部材で得られる効果は、左の反らせ部材８３で説明したが、右の反らせ部材でも同様の効果を得ることができる。
【００４４】
尚、本考案に用いる左右の覗き窓の取付位置は、実施の形態ではオーガハウジング本体の外面の左側及び右側としたが、機体の形状に応じてオーガハウジング本体の外面の中央、上側、下側に変更することができるため、取付位置を変更することは差し支えない。
【産業上の利用可能性】
【００４５】
本考案の除雪機は、左のオーガ及び右のオーガの回転を目視で確認しながら行う除雪作業に好適である。
【図面の簡単な説明】
【００４６】
【図１】本考案に係る除雪機の側面図である。
【図２】本考案に用いる左右のオーガの駆動系統図である。
【図３】図１の３−３線断面図である。
【図４】図３の４−４線断面図である。
【図５】本考案に係る除雪機の作用説明図である。
【図６】本考案の覗き窓の比較例と実施例の対比図である。
【図７】従来の技術の基本構成を説明する図である。
【符号の説明】
【００４７】
１０…除雪機、１１…機体、１４…エンジン（駆動源）、３１…ウオーム、３２…ウオームホイール、３４…ギヤケース、３６…左軸継手、３７…右軸継手、３８…左右のオーガ軸、３９…左のオーガ軸、４１…右のオーガ軸、４２…左右のオーガ、４３…左のオーガ、４４…右のオーガ、５０…オーガハウジング、５６…左のシヤーピン、６１…右のシヤーピン、７０…左右の覗き窓、７１…左の覗き窓、７２…右の覗き窓、８２…下側の縁（内側の縁）、８３…左の反らせ部材（反らせ部材）、８６…作業者、８７…オーガハウジングの内面。
【図１】
0003132846.tif 000003
【図２】
0003132846.tif 000004
【図３】
0003132846.tif 000005
【図４】
0003132846.tif 000006
【図５】
0003132846.tif 000007
【図６】
0003132846.tif 000008
【図７】
0003132846.tif 000009